(57)【要約】【課題】弾性を有する抜止クリップにて管接続を行う形式の迅速管継手において、管接続解除操作を簡単に行い得るようにする。【解決手段】迅速管継手４２を雄管４８と、雌管としてのソケット部材４４と、ソケット部材４４に径方向に弾性的に拡開収縮可能に装着され、収縮状態で雄管４８とソケット部材４４とを軸方向に抜止状態に結合しロックする抜止クリップ５０を外側から覆うカバー５２とを含んで構成する。そのカバー５２には、加えられた操作力にて抜止クリップ５０を拡開運動させ、抜止クリップ５０によるロックを解除させる解除ボタン１１６を設けておく。【選択図】        図５
2006226532.tif 000002
【特許請求の範囲】
【請求項１】
管を接続するための迅速管継手であって、
(イ)外面に雄嵌合面を有する雄管と
(ロ)内面に雌嵌合面を有するとともに軸方向一端に挿入開口を有し、該挿入開口を通じて該雄管を挿入させて該雄嵌合面を該雌嵌合面に嵌合させる雌管と
(ハ)該雌管に装着され、軸直角方向に延びる弾性脚を備えて該弾性脚が径方向に拡開収縮可能であり、収縮状態で該雄管と雌管とを軸方向に結合ロックして抜け止めする一方、拡開状態で該ロックを解除する抜止クリップと
を有しており、且つ加えられた操作力にて前記抜止クリップを拡開運動させ、該抜止クリップによる前記ロックを解除させる解除操作部が設けてあることを特徴とする迅速管継手。
【請求項２】
請求項１において、前記雌管には一部を周方向に切り欠いて成る切欠部が設けられていて、該切欠部に前記抜止クリップが装着されていることを特徴とする迅速管継手。
【請求項３】
請求項１，２の何れかにおいて、前記雌管又は／及び抜止クリップには、該雌管とは別体に構成された該抜止クリップを該雌管に対して軸直角方向に装着する際に該雌管に対する該抜止クリップの軸方向位置を規定しつつ装着案内する装着ガイドが設けてあることを特徴とする迅速管継手。
【請求項４】
請求項３において、前記装着ガイドが前記雌管の外周面に沿って形成された段付部と、該段付部に対して摺動可能に軸方向に当接して位置決めされる、前記抜止クリップの装着方向先端側に形成された軸方向の突起部とを有していることを特徴とする迅速管継手。
【請求項５】
請求項１〜４の何れかにおいて、前記抜止クリップには、前記雄管の外周面より径方向に突出した突出部に対し、該雄管の挿入時に接触して該雄管の挿入運動に従動して該抜止クリップを拡開運動させ、該抜止クリップに対して該突出部を抜止位置まで軸方向に移動可能とするカム部が備えられていることを特徴とする迅速管継手。
【請求項６】
請求項１〜５の何れかにおいて、前記解除操作部が移動可能に組み付けられているとともに、該解除操作部又は／及び解除操作部の保持部には、該解除操作部を移動案内するガイド部が設けてあることを特徴とする迅速管継手。
【請求項７】
請求項６において、前記ガイド部は、前記解除操作部と該解除操作部の保持部との一方に設けられ、該解除操作部の移動方向に延びるガイド突部と、他方に設けられて該ガイド突部に嵌り合うガイド凹部とを有していることを特徴とする迅速管継手。
【請求項８】
請求項１〜７の何れかにおいて、前記解除操作部が解除用カム部を有していて、該解除用カム部のカム作用により前記抜止クリップを拡開運動させるものとなしてあることを特徴とする迅速管継手。
【請求項９】
請求項１〜８の何れかにおいて、前記抜止クリップに対し外側から被さるカバーが備えてあることを特徴とする迅速管継手。
【請求項１０】
請求項９において、前記解除操作部が前記カバーに組み付けてあることを特徴とする迅速管継手。
【請求項１１】
請求項９，１０の何れかにおいて、前記カバー及び／又は雌管には、該カバーを該雌管に対して外嵌状態に軸方向に嵌め込む際に、該カバーを該雌管に対して軸直角方向に位置決めし且つ軸方向に嵌込みガイドする嵌込ガイドが設けてあることを特徴とする迅速管継手。
【請求項１２】
請求項１１において、前記嵌込ガイドが、前記雌管の外面に嵌合する、前記カバーの嵌込方向である軸方向に延びる形態で該カバーに一体的に設けられた嵌合片を含んでいることを特徴とする迅速管継手。
【請求項１３】
請求項９〜１２の何れかにおいて、前記カバーの下端部には該カバーを前記雌管に対して弾性的に係止させる弾性爪が設けてあることを特徴とする迅速管継手。
【請求項１４】
請求項１〜１３の何れかにおいて、前記解除操作部に対してその操作を封印するシールが施してあることを特徴とする迅速管継手。
【発明の詳細な説明】
【技術分野】
【０００１】
この発明は、配管を迅速に接続することのできる迅速管継手に関し、詳しくは抜止クリップにて雌管と雄管とを軸方向に結合ロックして抜止めする形式の迅速管継手に関する。
【背景技術】
【０００２】
この種迅速管継手として下記特許文献１に開示のものが公知である。
図１７はこの種迅速管継手を水栓器具に給水又は給湯を行うための配管の接続用に適用した例、詳しくは水栓器具に直接連結されるサプライ管とその上流側配管との接続に適用した例である。
【０００３】
図中２００はその水栓器具で、２０２は水栓器具２００に水，湯を供給すべく水栓器具２００に直接連結されたサプライ管である。この例においてサプライ管２０２は可撓管から成っている。
２０４はそのサプライ管２０２と上流側配管とを接続するための迅速管継手であって、雌管としてのソケット部材２０６と抜止クリップ２０８とを含んで構成されている。
【０００４】
図１８はその迅速管継手２０４の構成を詳しく示したものである。
同図に示しているようにソケット部材２０６は軸方向一端に挿入開口２１２を有しており、更に挿入開口２１２に続いて断面円形の雌嵌合面２１４を有している。また軸方向端の外周面にフランジ部２１６が形成されている。
【０００５】
一方サプライ管２０２には金具から成る端部部材２１８が装着されている。端部部材２１８は雄管２２０を有しており、その雄管２２０がソケット部材２０６の挿入開口２１２を通じてソケット部材２０６内部に挿入された上、外周面の雄嵌合面２２２がソケット部材２０６の雌嵌合面２１４に嵌合され、そしてそれらの間が雄嵌合面２２２に装着されたＯリング２２４によって水密にシールされるようになっている。
ここで雄管２２０においても、ソケット部材２０６におけるのと同様のフランジ部２１６が形成されている。
【０００６】
抜止クリップ２０８は板ばね製のもので略環状をなしている。即ちこの抜止クリップ２０８は一対の弾性脚と、それらを連結する連結部を有していて、その一対の弾性脚のそれぞれの幅方向中間部に係入溝２２８を有している。また周方向の一部が切り欠かれた形態をなしていてその切欠部分が開口２２６を成しており、更にその開口２２６に続いてハの字状に開いた形の案内部２３０が連続して形成されている。
【０００７】
この抜止クリップ２０８は、雄管２２０をソケット部材２０６内部に挿入し、そして一対のフランジ部２１６を合せた状態で、それらフランジ部２１６に対して開口２２６を通じて軸直角方向に弾性的に嵌め合され、それらフランジ部２１６を係入溝２２８に係入させることで、ソケット部材２０６とサプライ管２０２とを軸方向に結合ロックし、抜止状態に締結する。
【０００８】
しかしながらこの迅速管継手２０４の場合、抜止クリップ２０８が外部に露出した状態となって配管接続部の美観，外観が悪い問題があり、更に抜止クリップ２０８が突出した状態にあるためメンテナンス作業等に際して誤って手等が当ったときに怪我をする恐れがあり、またその際に抜止クリップ２０８が外れてしまう恐れがあるなどの問題があった。
【０００９】
そこで抜止クリップ２０８にその外側からカバーを被せるといったことが考えられる。
しかしながらこの迅速管継手２０４では、抜止クリップ２０８が雄管２２０及びソケット部材２０６に対して軸直角方向に嵌め込まれ又は取り外しされるため、迅速管継手２０４にこの種カバーを備えた場合には、雄管２２０をソケット部材２０６から軸方向に抜き出すためには、一旦カバーを外した上で抜止クリップ２０８を抜き取らなければならず、その操作が面倒なものとなってしまう。
【００１０】
更にまた雄管２２０とソケット部材２０６とを接続するに際しても、先ずカバーを取り外した状態の下で雄管２２０をソケット部材２０６内部に挿入した上、抜止クリップ２０８を嵌め込み、その後に抜止クリップ２０８を外側から覆う状態にカバーを装着することが必要となって、その作業にも面倒を伴う問題が生ずる。
【００１１】
尚この例の迅速管継手２０４の場合、管接続に際して雄管２２０をソケット部材２０６内部に挿入する動作と、その状態で抜止クリップ２０８を軸直角方向に弾性的に嵌め合せる動作とが必要であり、カバー装着前の雄管２２０とソケット部材２０６との接続作業そのものも面倒である問題があった。
【００１２】
【特許文献１】特開２００１−１８２１０８号公報
【発明の開示】
【発明が解決しようとする課題】
【００１３】
本発明は以上のような事情を背景として案出されたもので、弾性を有する抜止クリップにて管接続を行う形式の迅速管継手において、管接続解除操作を簡単に行い得るようした迅速管継手を提供することを目的としてなされたものである。
【課題を解決するための手段】
【００１４】
而して請求項１のものは、管を接続するための迅速管継手であって、(イ)外面に雄嵌合面を有する雄管と、(ロ)内面に雌嵌合面を有するとともに軸方向一端に挿入開口を有し、該挿入開口を通じて該雄管を挿入させて該雄嵌合面を該雌嵌合面に嵌合させる雌管と、(ハ)該雌管に装着され、軸直角方向に延びる弾性脚を備えて該弾性脚が径方向に拡開収縮可能であり、収縮状態で該雄管と雌管とを軸方向に結合ロックして抜け止めする一方、拡開状態で該ロックを解除する抜止クリップとを有しており、且つ加えられた操作力にて前記抜止クリップを拡開運動させ、該抜止クリップによる前記ロックを解除させる解除操作部が設けてあることを特徴とする。
【００１５】
請求項２のものは、請求項１において、前記雌管には一部を周方向に切り欠いて成る切欠部が設けられていて、該切欠部に前記抜止クリップが装着されていることを特徴とする。
【００１６】
請求項３のものは、請求項１，２の何れかにおいて、前記雌管又は／及び抜止クリップには、該雌管とは別体に構成された該抜止クリップを該雌管に対して軸直角方向に装着する際に該雌管に対する該抜止クリップの軸方向位置を規定しつつ装着案内する装着ガイドが設けてあることを特徴とする。
【００１７】
請求項４のものは、請求項３において、前記装着ガイドが前記雌管の外周面に沿って形成された段付部と、該段付部に対して摺動可能に軸方向に当接して位置決めされる、前記抜止クリップの装着方向先端側に形成された軸方向の突起部とを有していることを特徴とする。
【００１８】
請求項５のものは、請求項１〜４の何れかにおいて、前記抜止クリップには、前記雄管の外周面より径方向に突出した突出部に対し、該雄管の挿入時に接触して該雄管の挿入運動に従動して該抜止クリップを拡開運動させ、該抜止クリップに対して該突出部を抜止位置まで軸方向に移動可能とするカム部が備えられていることを特徴とする。
【００１９】
請求項６のものは、請求項１〜５の何れかにおいて、前記解除操作部が移動可能に組み付けられているとともに、該解除操作部又は／及び解除操作部の保持部には、該解除操作部を移動案内するガイド部が設けてあることを特徴とする。
【００２０】
請求項７のものは、請求項６において、前記ガイド部は、前記解除操作部と該解除操作部の保持部との一方に設けられ、該解除操作部の移動方向に延びるガイド突部と、他方に設けられて該ガイド突部に嵌り合うガイド凹部とを有していることを特徴とする。
【００２１】
請求項８のものは、請求項１〜７の何れかにおいて、前記解除操作部が解除用カム部を有していて、該解除用カム部のカム作用により前記抜止クリップを拡開運動させるものとなしてあることを特徴とする。
【００２２】
請求項９のものは、請求項１〜８の何れかにおいて、前記抜止クリップに対し外側から被さるカバーが備えてあることを特徴とする。
【００２３】
請求項１０のものは、請求項９において、前記解除操作部が前記カバーに組み付けてあることを特徴とする。
【００２４】
請求項１１のものは、請求項９，１０の何れかにおいて、前記カバー及び／又は雌管には、該カバーを該雌管に対して外嵌状態に軸方向に嵌め込む際に、該カバーを該雌管に対して軸直角方向に位置決めし且つ軸方向に嵌込みガイドする嵌込ガイドが設けてあることを特徴とする。
【００２５】
請求項１２のものは、請求項１１において、前記嵌込ガイドが、前記雌管の外面に嵌合する、前記カバーの嵌込方向である軸方向に延びる形態で該カバーに一体的に設けられた嵌合片を含んでいることを特徴とする。
【００２６】
請求項１３のものは、請求項９〜１２の何れかにおいて、前記カバーの下端部には該カバーを前記雌管に対して弾性的に係止させる弾性爪が設けてあることを特徴とする。
【００２７】
請求項１４のものは、請求項１〜１３の何れかにおいて、前記解除操作部に対してその操作を封印するシールが施してあることを特徴とする。
【本発明の作用・効果】
【００２８】
以上のように本発明の迅速管継手は、軸直角方向に延びる弾性脚を備えた抜止クリップ及び加えられた操作力にて抜止クリップを拡開運動させ、抜止クリップによる雄管と雌管との結合状態のロックを解除させる解除操作部が設けてあるもので、かかる本発明の迅速管継手においては、雌管に対し結合状態にある雄管を、単に解除操作部を操作するだけで、そのまま雌管から抜き出すことができ、雌管から雄管を抜き出す際の作業を面倒なく迅速簡単に行うことができる。
【００２９】
本発明では、雌管にその一部を周方向に切り欠いて成る切欠部を設けて、そこに抜止クリップを装着しておくことができる（請求項２）。
またこの場合において雌管又は／及び抜止クリップに、抜止クリップを雌管に対し軸直角方向に装着する際に雌管に対する抜止クリップの軸方向位置を規定しつつ装着案内する装着ガイドを設けておくことができる（請求項３）。
このようにしておくことで、雌管と別体をなす抜止クリップの雌管に対する装着を作業性良く円滑に行うことができる。
【００３０】
この場合においてその装着ガイドは、雌管の外周面に沿って形成された段付部と、その段付部に対して摺動可能に軸方向に当接して位置決めされる、抜止クリップの装着方向先端側に形成された軸方向の突起部とを含んで構成しておくことができる（請求項４）。
このようにすることで装着ガイドを簡単な構造で容易に構成することができる。
【００３１】
本発明においてはまた、雄管の外周面より径方向に突出した突出部に対し、雄管の挿入時に接触し雄管の挿入運動に従動して抜止クリップを拡開運動させ、抜止クリップに対して突出部を抜止位置まで軸方向に移動可能とするカム部を抜止クリップに備えておくことができる（請求項５）。
このようになした場合、雄管を雌管に挿入して管接続を行うに際し、図１７，図１８に示す従来の迅速管継手のように、抜止クリップを雄管及び雌管から予め取り外しておかなくても良く、或いはまた軸直角方向に大きく退避させておかなくても良く、抜止クリップを本来の装着位置に位置させたままで、ワンタッチで簡単に雄管を雌管に対し嵌め込んで抜止状態に接続作業することが可能となる。
【００３２】
また抜止クリップを取り外したり、或いは軸直角方向に大きく退避させておくことなく、かかる抜止クリップを装着位置に位置させたままで管接続を行うことができるため、カバーを備えた迅速管継手にあっても、そのカバーを管接続のために装着位置から一旦取り外す必要をなくすことが可能となり、管接続作業の作業性を更に簡単化することができる。
【００３３】
尚、上記カバーを備えている場合において解除操作部は、少なくとも操作力の入力部をカバーとは色違いとなしておくことで、一見して解除操作部の存在及びその位置が認識でき、ひいては解除操作を簡単に行うことができる。
【００３４】
請求項６のものは、解除操作部を移動可能に組み付けておくとともに、その解除操作部又は／及び解除操作部の保持部に、解除操作部を移動案内するガイド部を設けたもので、この請求項６によれば、解除操作に際して解除操作部が傾いたり移動の抵抗が大きくなったりするのを防止して、解除操作部を円滑に移動操作することができ、ひいては抜止クリップによるロック解除を確実且つ円滑に行わせることができる。
【００３５】
この場合においてそのガイド部は、解除操作部と上記保持部との一方に設けられ、解除操作部の移動方向に延びるガイド突部と、他方に設けられてガイド突部に嵌り合うガイド凹部とを含んで構成しておくことができる（請求項７）。
このようにすることで解除操作部の移動案内をなすガイド部を簡単な構造で容易に構成することができる。
【００３６】
上記解除操作部には解除用カム部を設けておき、その解除用カム部のカム作用により、抜止クリップを拡開運動させるようになしておくことができる（請求項８）。
これにより解除操作部に僅かな操作力を入力するだけで容易に抜止クリップを拡開運動させ、抜止クリップによる雄管と雌管との結合ロックを解除せしめることができ、ひいては雌管からの雄管の抜出作業、即ち管接続の解除作業を作業性良く容易に行うことができる。
【００３７】
次に請求項９は抜止クリップに対し外側から被さるカバーを備えたもので、この請求項９の迅速管継手は抜止クリップの外側から被さるカバーを備えていることから、管接続部の美観，外観を良好となすことができるとともに、メンテナンス作業等に際して誤って手等が直接抜止クリップに当るのを防止することが可能であり、従ってメンテナンス作業に際し手等が抜止クリップに当って怪我をする恐れをなくすことが可能となり、またその際に抜止クリップが外れてしまうのを防止することが可能となる。
【００３８】
またこのようにカバーを備えた場合において、本発明では解除操作部により抜止クリップによるロックを解除できるためカバーを装着した状態のままで雌管と雄管との接続を外すことも可能となる。
ここで迅速管継手にカバーを備えた場合において、上記解除操作部をそのカバーに組み付けておくことができる（請求項１０）。
【００３９】
請求項１１のものは、カバーを雌管に対し外嵌状態に軸方向に嵌め込む際、そのカバーを雌管に対し軸直角方向に位置決めしつつ軸方向に嵌込みガイドする嵌込ガイドをカバー及び／又は雌管に設けたもので、この請求項１１によれば、雌管に対する雄管の嵌込作業を円滑且つ容易に行うことができる。
この場合においてその嵌込ガイドは、カバーの嵌込方向である軸方向に延びて雌管の外面に嵌合する、カバーに一体的に設けた嵌合片を含んで構成することができる（請求項１２）。
【００４０】
請求項１３は、端部にカバーを雌管に対し弾性的に係止させる弾性爪を設けたもので、このようになした場合、雌管に対するカバーの脱着を簡単に行うことができる。
【００４１】
次に請求項１４は、解除操作部に対してその操作を封印するシールを施したものである。
このようにしておけば、解除操作部が何気なく不用意に操作されてしまい、これにより雄管と雌管との接続が外れてしまうのを防止することができる。
【００４２】
この場合においてシールを面状のシールとなして、これを解除操作部の前面から解除操作部の保持部の前面等の外面にまたがるように貼着しておくことができる。
ここで面状のシールの前面には、解除操作部を操作しないように注意を喚起する表示、或いは解除操作部を操作するにはこのシールを外して行う旨の表示を施しておくことができる。
【００４３】
更に面状のシールにはその前面、即ち入力部の周縁に沿ってミシン目等の切目を入れておき、解除操作部が無理に操作されたときにはその切目に沿ってシールが分離するようになしておくことができる。
【００４４】
例えばシール紙等を解除操作部の前面からその保持部の外面にまたがって貼着しておいた場合、解除操作部が無理に操作されることでシール紙が不規則に破れてしまい、その破れた部分が解除操作部と保持部との間の隙間に噛み込んでしまって、解除操作部が元の位置に戻らなくなり、雄管と雌管との接続が外れたままにロックされてしまう恐れが生ずる。
しかるにシール紙等の所定位置にミシン目等の切目を入れておくことで、解除操作部が無理に操作されたときにその切目に沿って、即ち予め定めた位置でシール紙等をきれいに分離させ得、破れた破断部が解除操作部と保持部との間の隙間に噛み込んでしまう問題を回避することができる。
【発明を実施するための最良の形態】
【００４５】
次に本発明を水栓器具に水，湯を供給するサプライ管とその上流側の供給配管との接続に適用した場合の実施形態を図面に基づいて詳しく説明する。
【００４６】
図１において、１０は図示を省略するカウンター等の上面に設置された水栓器具（この例ではシングルレバー式の湯水混合水栓）で、１２は水栓本体、１４はその上部に設けられたシングルレバー式の操作部、１６は水栓本体１２から延び出した吐水管である。
【００４７】
吐水管１６は、水栓本体１２に一体的に構成された管本体１８と、ホース２０とともに引出可能な吐水ヘッド２２とから成っている。
ここで吐水ヘッド２２は先端に吐水口２４を有しており、その吐水口２４から吐水を行うようになっている。
この例において、吐水ヘッド２２は吐水を整流吐水からシャワー吐水若しくはその逆に切換可能なものとされている。
【００４８】
２６は水，湯を水栓本体１２に供給するサプライ管であって、この例においてサプライ管２６は可撓管から成っている。これらサプライ管２６は上端部が水栓本体１２に接続されており、かかる水栓本体１２に対してサプライ管２６，２６を通じ水，湯が供給される。供給された水，湯は水栓本体１２内で混合された上、流出管２８へと流出する。
【００４９】
この流出管２８には上記ホース２０が接続され、流出管２８に流出した混合水がホース２０を通じて吐水ヘッド２２へと導かれる。
尚３０はホースガイドで、３２はストッパである。ホース２０の引出し量は、このストッパ３２がホースガイド３０に当接することによって規定される。
【００５０】
３４は水，湯の供給配管で壁Ｗから室内側に横向きに突き出している。これら一対の供給配管３４の先端部には止水栓３６が設けられている。
止水栓３６は上向きの接続口３８を有している。その接続口３８の外面には雄ねじ４０が形成されている。
この例において、サプライ管２６と供給配管３４とは本例の迅速管継手４２にて互いに接続されている。
【００５１】
図２〜図７にこの迅速管継手４２の具体的構成が示してある。
これらの図に示しているように、本例の迅速管継手４２は雌管としてのソケット部材４４と、サプライ管２６の端部に装着された金属製の端部部材４６に備えられた雄管４８と、これらと別体に構成された弾性を有する抜止クリップ５０（図５参照）と、カバー５２とを有している。
雄管４８は、外面に雄嵌合面５４を有しており、そこにシール用のＯリング５６が装着されている。また基端には外向きのフランジ部（突出部）５８が設けられている。
【００５２】
一方ソケット部材４４は、内面に雄嵌合面５４を嵌合させる雌嵌合面６０を有しており、更に軸方向一端に挿入開口６２を有している。
また挿入開口６２と反対側の端部に雌ねじ孔６４を有しており、その雌ねじ孔６４において供給配管３４、詳しくは止水栓３６の接続口３８の雄ねじ４０にねじ結合されている。
ここで雄ねじ４０と雌ねじ孔６４とのねじ結合部は、パッキン６６によって水密にシールされている。
【００５３】
ソケット部材４４には、挿入開口６２の近傍位置においてその一部を周方向に切り欠いて成る一対の切欠部６８が設けられており、そこに抜止クリップ５０が装着されている。
ここで切欠部６８の軸方向の両端面は第１係止面７０，第２係止面７２とされている。
【００５４】
ソケット部材４４にはまた、雄管４８側のフランジ部５８を当接させてその挿入量を規定するストッパ面７４が形成されており、更に雌ねじ孔６４側の端部外面には、図５及び図６に示しているように工具掛部７８が設けられている。
【００５５】
ソケット部材４４にはまた、図３，図５，図６，図７及び図１０に示しているように切欠部６８の図中下側の位置において、段付部７７が外周面に沿って周方向に設けられている。
更にまた図中上端部には、外周部の一部を切り落とした形態の一対の互いに平行な係合面７９が形成されている。
【００５６】
抜止クリップ５０は、図５及び図６に詳しく示しているように板ばね材をＵ字状に曲げて形成したもので、一対の弾性脚８０とそれらを一端側で連結する連結部８２とを有している。
連結部８２とは反対側の端部は嵌込用開口８３とされており、更にその嵌込用開口８３に続いてハの字状に開いた嵌合せ案内部８４が一体に形成されている。
またそれら嵌合せ案内部８４の下端部に、図中下向き即ちソケット部材４４の軸方向に突き出す形態で一対の突起部９０が一体に形成されている。
【００５７】
これら突起部９０は、図５の拡大図に示しているようにソケット部材４４における上記段付部７７とともに、抜止クリップ５０をソケット部材４４の切欠部６８に軸直角方向に装着する際の装着ガイドを成すものである。
【００５８】
この抜止クリップ５０には、一対の弾性脚８０のそれぞれにカム面９４を備えたカム部９２が設けられている。ここでカム面９４は、雄管４８の挿入方向に進むに連れて軸心方向に接近するすり鉢形状の面とされている。
【００５９】
この抜止クリップ５０は、嵌込用開口８３を通じてソケット部材４４の切欠部６８に軸直角方向に嵌め込まれて装着される。このとき、図３及び図７に示すように一対の弾性脚８０が切欠部６８内に位置し、そしてそれら一対の弾性脚８０の前端（図中下端）と後端（図中上端）とが切欠部６８における第１係止面７０と第２係止面７２とに当接することで軸方向に位置規制される。
【００６０】
上記カバー５２は、この例では樹脂製のものであって全体として筒状をなしている。
このカバー５２は、図中下端面が開放形状とされているとともに、上端部には内向きの鍔部９８が設けられていて、その鍔部９８の内側に雄管４８を挿入するための挿入開口１００が設けられている。
尚９６はカバー５２における周壁部を表している。
【００６１】
このカバー５２には、図３，図７及び図９に明らかに示しているように図中下端部に弾性爪１０２が一体に設けられており、これら弾性爪１０２をソケット部材４４の上記段付部７７下面に弾性的に係止させることで、かかるカバー５２がソケット部材４４に対し脱着可能に組み付けられるようになっている。
【００６２】
カバー５２にはまた、図４，図６，図９及び図１１に示しているように周壁部９６から内側に離隔した位置に円弧形状をなす一対の嵌合片１０４，１０６が一体に形成されている。
これら嵌合片１０４，１０６は、カバー５２をソケット部材４４に対し軸方向に嵌め込む際、ソケット部材４４の外周面に嵌合して軸直角方向の位置決めをなしつつ嵌込みガイドをするものである。
即ち本例ではこれら一対の嵌合片１０４，１０６が、カバー５２の嵌込ガイドを構成している。
【００６３】
ここで一対の嵌合片１０４，１０６は、カバー５２の嵌込方向である軸方向に延びる形態でカバー５２に一体に形成されており、また一方の嵌合片１０６は、周方向両端部が連結部１０８にてカバー５２の周壁部９６に連結されている。
【００６４】
図９に示しているようにカバー５２には、ソケット部材４４における上記係合面７９に対応する位置に、対応する形状で切落し形状の平坦な係合面１１０，１１２が鍔部９８側に形成されている。
これら係合面１１０，１１２は、図４（Ａ）に明らかに示しているように、カバー５２の装着状態の下で、ソケット部材４４の一対の係合面７９に係合して、カバー５２のソケット部材４４に対する回転を防止する働きをなす。
【００６５】
図５，図６，図８及び図１１に明らかに示しているように、カバー５２には、詳しくはその周壁部９６には貫通の窓部１１４が設けられており、そこに解除ボタン（解除操作部）１１６が嵌込状態に装着されている。
即ちこの例では、カバー５２が解除ボタン１１６の保持部を成していてそこに解除ボタン１１６が保持されている。
【００６６】
ここで解除ボタン１１６は、押込操作によって抜止クリップ５０の一対の弾性脚８０を拡開運動させ、抜止クリップ５０によるソケット部材４４とサプライ管２６側の雄管４８との結合ロックを解除するためのものである。
この解除ボタン１１６は、その全体が樹脂製且つカバー５２とは色違いに構成されている。
この解除ボタン１１６は操作力の入力部１１８を有しており、そこに加えられた操作力に基づいてカバー５２内に押し込まれる。
【００６７】
この解除ボタン１１６には、図４及び図８に示しているようにカム面１２０を備えた解除用カム部１２２が設けられ、解除ボタン１１６の押込操作により、図１４に示しているようにカム面１２０のカム作用で抜止クリップ５０の嵌込用開口８３を押し開き、これにより抜止クリップ５０を拡開運動させて、抜止クリップ５０によるソケット部材４４と雄管４８との結合ロックを解除させる働きをなす。
【００６８】
その際、解除ボタン１１６が傾いたりすることなく円滑且つ平行にスライド移動できるように、この解除ボタン１１６とカバー５２とに、かかる解除ボタン１１６の移動案内をなすガイド部が設けてある。
詳しくは、図５，図６及び図８に示しているように解除ボタン１１６には左右方向に突き出すガイド突条（ガイド突部）１２４とガイド溝（ガイド凹部）１２６とが設けられ、またカバー５２の対応する位置にはガイド溝（ガイド凹部）１２８とガイド突条（ガイド突部）１３０とが設けられ、解除ボタン１１６におけるガイド突条１２４とカバー５２におけるガイド溝１２８、更に解除ボタン１１６におけるガイド溝１２６とカバー５２におけるガイド突条１３０とが、解除ボタン１１６の移動方向に摺動可能に嵌合している。
【００６９】
解除ボタン１１６は、それらの案内に基づいて円滑にカバー５２の内外方向にスライド移動する。
尚解除ボタン１１６には引掛部１３２が設けられており、この引掛部１３２が、カバー５２側に設けられた掛止部１３４に掛止することで、解除ボタン１１６がカバー５２から抜け防止される。
【００７０】
次に本例の迅速管継手４２を用いて管接続及び接続解除を行う際の手順を、迅速管継手４２の作用とともに以下に詳述する。
本例では、先ずソケット部材４４を供給配管３４の接続口３８に接続し、更にそのソケット部材４４に対し抜止クリップ５０及びカバー５２を装着した状態としておく。
図１２（Ｉ）はその状態を示している。
【００７１】
この状態で、図１２（Ｉ），（II）に示しているようにサプライ管２６の端部に装着した端部部材４６、詳しくは雄管４８をカバー５２の挿入開口１００及びソケット部材４４の挿入開口６２を通じてソケット部材４４内部に挿入する。
このとき、挿入の過程で抜止クリップ５０のカム面９４に対し雄管４８のフランジ部５８が接触し、そして更に雄管４８が挿入されると、これに従動してカム面９４のカム作用で抜止クリップ５０の一対の弾性脚８０が拡開運動させられ、抜止クリップ５０に対するフランジ部５８の通過を許容する。
【００７２】
そしてフランジ部５８が抜止クリップ５０を通過し、ソケット部材４４のストッパ面７４に当接したところで、抜止クリップ５０が自身の弾性力に基づいて収縮運動し、弾性脚８０の前端（図中下端）をフランジ部５８に当接した状態となる。ここにおいて雄管４８がソケット部材４４から抜け止めされる。
即ち雄管４８がソケット部材４４に対し、抜止クリップ５０によって抜止状態に結合ロックされる。
図１２（III）はこのときの状態を表している。
【００７３】
図１３及び図１４は、このようにしてソケット部材４４に接続した雄管４８を、ソケット部材４４から抜き出す際の手順及び作用を表している。
雄管４８をソケット部材４４から接続解除するには、図１３（Ｉ）の状態にある解除ボタン１１６を図１３（II）及び図１４（II）に示しているようにソケット部材４４の内部に向けて軸直角方向に押込操作する。
【００７４】
このとき、当初図１４（Ｉ）の状態にあった解除ボタン１１６がカバー５２の内部に押し込まれることによって、解除ボタン１１６の解除用カム部１２２におけるカム面１２０のカム作用で抜止クリップ５０が拡開運動させられ、雄管４８に対するロックを解除する。ここにおいて雄管４８がソケット部材４４に対し抜出し方向に移動可能となる。
そこでサプライ管２６をもって引抜方向に力を加えると、図１３(III)に示しているように雄管４８がソケット部材４４から抜き出され、ここにおいてソケット部材４４と雄管４８との接続が解除状態となる。
【００７５】
以上のような本実施形態の迅速管継手４２は、カバー５２によって管接続部を抜止クリップ５０とともに外側から包んで内部に隠蔽しているため、管接続部の美観，外観を良好に保持することができる。
またメンテナンス作業に際して、誤って手等が直接抜止クリップ５０に当って怪我をしたりする恐れがなく、またその際に抜止クリップ５０が誤ってソケット部材４４及び雄管４８から外れてしまう恐れがない利点を有している。
【００７６】
加えて本実施形態においては、抜止クリップ５０がカム部９２を有していて、雄管４８をソケット部材４４に挿入すると自動的にカム部９２の作用で抜止クリップ５０が拡開運動するため、かかる抜止クリップ５０及びカバー５２をソケット部材４４に装着した状態のまま、雄管４８を単に挿入するだけで簡単に且つ自動的にソケット部材４４に接続作業することができる。
【００７７】
即ち雄管４８をソケット部材４４に接続作業するに際し、予めカバー５２及び抜止クリップ５０を装着位置から外しておく必要がなく、それら抜止クリップ５０及びカバー５２を装着位置に装着した状態のまま、単に雄管４８を軸方向に押し込むだけで管接続を行うことができる。
【００７８】
また本実施形態では、雄管４８をソケット部材４４から抜き出すに際しても、即ち管接続の解除作業をするに際しても、抜止クリップ５０，カバー５２を装着位置から外すことなく、装着状態に保持したまま単に解除ボタン１１６を押込操作するだけで簡単に雄管４８とソケット部材４４との接続を解除操作することができる。
【００７９】
また本実施形態では、抜止クリップ５０によるソケット部材４４と雄管４８との結合ロックの解除を、かかる抜止クリップ５０を軸直角方向に抜き出して行う場合に比べて、抜止クリップ５０を過度に押し開いてしまうことがないため、抜止クリップ５０が過度に押し開かれることによって塑性変形してしまい、その後に元の位置まで収縮しなくなってしまってソケット部材４４と雄管４８とのロック機能が損われてしまうといった問題を生じない利点を有する。
即ち抜止クリップ５０によるロック解除を繰返し行った場合においても抜止クリップ５０によるロック機能が損われない利点を有する。
【００８０】
更に本実施形態では、抜止クリップ５０をソケット部材４４に対し軸直角方向に装着する際に、装着ガイドを成す抜止クリップ５０の突起部９０とソケット部材４４の段付部７７とによって、抜止クリップ５０の軸方向位置を規定しつつ装着案内することができ、ソケット部材４４に対する抜止クリップ５０の装着を作業性良く円滑に行うことができる。
【００８１】
本実施形態においては、その解除ボタン１１６がカバー５２とは色違いに構成されているため、一見して解除ボタン１１６の存在及びその位置が確認でき、ひいては解除操作を簡単に行うことができる。
【００８２】
また解除ボタン１１６及びカバー５２には、解除ボタン１１６を押込操作したときにその移動案内をなすガイド突条１２４と１３０及びガイド溝１２６と１２８とが設けてあるため、解除ボタン１１６を円滑にスライド移動させ得、ひいては抜止クリップ５０によるロック解除を確実且つ円滑に行わせることができる。
【００８３】
また解除ボタン１１６には解除用カム部１２２が設けてあって、解除ボタン１１６の移動に伴って解除用カム部１２２のカム作用で抜止クリップ５０を拡開運動させるため、少ない操作力で抜止クリップ５０によるロックを簡単に解除させることができ、ひいてはソケット部材４４からの雄管４８の抜出し作業を作業性良く楽に行うことができる。
【００８４】
本例ではまた、カバー５２をソケット部材４４に対し軸方向に嵌め込む際、そのガイドを成す嵌合片１０４，１０６が嵌込ガイドとしてカバー５２の側に設けてあるため、ソケット部材４４に対するカバー５２の嵌込作業を円滑且つ容易に行うことができる。
【００８５】
図１５は本発明の他の実施形態を示している。
この例は裏面に粘着材の塗着されたシール紙１３６を解除ボタン１１６及びカバー５２にまたがって貼着し、解除ボタン１１６を操作禁止状態に封印するようになした例である。
ここでシール紙１３６には、雄管４８とソケット部材４４との接続を外すときにはシール紙１３６を剥して解除ボタン１１６を押す旨の表示１３８が前面に記してある。
尚この表示１３８は、解除ボタン１１６を操作しないようにとの内容で表示しておいても良い。
【００８６】
このシール紙１３６には、上下２段にミシン目１４０-１と１４０-２とが入れられており、そしてミシン目１４０-１より上側の上部１３６Ａが、カバー５２における窓部１１４の上面１１４Ａに貼着され、またミシン目１４０-１と１４０-２との間の中間部１３６Ｃが、解除ボタン１１６の前面即ち入力部１１８の前面に貼着される。また下部１３６Ｂがカバー５２における窓部１１４より下側の前面１１４Ｂに貼着される。
【００８７】
換言すればシール紙１３６は、解除ボタン１１６の前面からその保持部であるカバー５２の外面にまたがって貼着したときに、解除ボタン１１６の上下の周縁に沿った位置にミシン目１４０-１及び１４０-２が来るようにそれらミシン目１４０-１，１４０-２が入れられている。
ここでミシン目１４０-１と１４０-２との間の間隔は、解除ボタン１１６の上下方向の幅とほぼ同等寸法とされている。
【００８８】
本実施形態によれば、解除ボタン１１６が何気なく不用意に操作されてしまい、これにより雄管４８とソケット部材４４との接続が外れてしまうといったことを防止することができる。
【００８９】
また本例ではシール紙１３６の所定位置にミシン目１４０-１，１４０-２が入れてあるので、解除ボタン１１６が無理に操作されたときに、そのミシン目１４０-１，１４０-２に沿って、即ち予め定めた位置でシール紙１３６をきれいに分離することができ（図１６参照）、不規則に破れたシール紙１３６の破断部が、解除ボタン１１６とカバー５２との間の隙間に噛み込んでしまって、解除ボタン１１６が元の位置に戻らなくなり、雄管４８とソケット部材４４との接続が外れたままにロックされてしまうのを回避することができる。
【００９０】
以上本発明の実施形態を詳述したがこれはあくまで一例示である。
例えば本発明は、抜止クリップとして図１７及び図１８に示す抜止クリップ２０８を備えた迅速管継手２０４に適用することも可能である。
また上例では、抜止クリップ５０がソケット部材４４と別体に構成されているが、場合によって抜止クリップ５０をソケット部材４４に、即ち雌管に一体に形成したり、或いはカバー５２に一体に形成するといったことも可能である。
更にまた、抜止クリップ５０をカバー５２を介して雌管に装着するといったことも可能である。
【００９１】
更にまた、図１７及び図１８に示す形態の抜止クリップ２０８にカム部を設けておき、雄管４８の挿入時にそのカム部の作用で抜止クリップを拡開運動させるようになすといったことも場合により可能である。
更に上例では解除ボタン１１６を軸直角方向に押し込むことで抜止クリップ５０を拡開運動させるようになしているが、場合によって解除ボタン等の解除操作部をカバー５２等に対し軸方向に押し込むことで、抜止クリップ５０を拡開運動させるようになすといったことも可能であるなど、本発明はその主旨を逸脱しない範囲において種々変更を加えた形態で構成可能である。
【図面の簡単な説明】
【００９２】
【図１】本発明の一実施形態の迅速管継手をその適用対象とともに示す図である。
【図２】同実施形態の迅速管継手を管接続状態で拡大して示す斜視図である。
【図３】同実施形態の迅速管継手を管接続状態で拡大して示す縦断面図である。
【図４】同実施形態の迅速管継手を管接続状態で拡大して示す横断面図である。
【図５】同実施形態の迅速管継手を各部材に分解して示す斜め上方からの斜視図である。
【図６】同実施形態の迅速管継手を各部材に分解して示す斜め下方からの斜視図である。
【図７】同実施形態の迅速管継手を各部材に分解して示す縦断面図である。
【図８】同実施形態の迅速管継手のカバーと解除ボタンとを取り出して示す斜視図である。
【図９】図８のカバーの斜視図である。
【図１０】同実施形態の迅速管継手のソケット部材の単品図である。
【図１１】同実施形態の迅速管継手のカバーの単品図である。
【図１２】同実施形態の迅速管継手の作用説明図である。
【図１３】同実施形態の迅速管継手の管接続解除の際の操作方法を示す説明図である。
【図１４】同実施形態の迅速管継手の解除ボタンの作用説明図である。
【図１５】本発明の他の実施形態を示す図である。
【図１６】同実施形態におけるシール紙の作用説明図である。
【図１７】従来の迅速管継手をその適用対象とともに示す図である。
【図１８】図１５の迅速管継手を拡大して示す図である。
【符号の説明】
【００９３】
４２  迅速管継手
４４  ソケット部材（雌管）
４８  雄管
５０  抜止クリップ
５２  カバー
５４  雄嵌合面
５８  フランジ部（突出部）
６０  雌嵌合面
６２，１００  挿入開口
６８  切欠部
７７  段付部（装着ガイド）
９０  突起部（装着ガイド）
９２  カム部
１０２  弾性爪
１０４，１０６  嵌合片（嵌込ガイド）
１１６  解除ボタン（解除操作部）
１１８  入力部
１２２  解除用カム部
１２４，１２８  ガイド突条（ガイド突部）
１２６，１３０  ガイド溝（ガイド凹部）
１３６  シール紙（シール）
【図１】
2006226532.tif 000003
【図２】
2006226532.tif 000004
【図３】
2006226532.tif 000005
【図４】
2006226532.tif 000006
【図５】
2006226532.tif 000007
【図６】
2006226532.tif 000008
【図７】
2006226532.tif 000009
【図８】
2006226532.tif 000010
【図９】
2006226532.tif 000011
【図１０】
2006226532.tif 000012
【図１１】
2006226532.tif 000013
【図１２】
2006226532.tif 000014
【図１３】
2006226532.tif 000015
【図１４】
2006226532.tif 000016
【図１５】
2006226532.tif 000017
【図１６】
2006226532.tif 000018
【図１７】
2006226532.tif 000019
【図１８】
2006226532.tif 000020